(57)【要約】【課題】簡単な構成でフレキシブル基板をレンズ鏡胴内に配設することができる小型のカメラを提供すること【解決手段】レンズ保持枠１１２にレンズ保持枠１１２の先端部にあるモータ１１５と、カメラボディ１００ａ側にある制御部とを電気接続するためのフレキシブル基板１１６を配設するための空間部１１２ｃを設ける。またこの空間部１１２ｃの位置に、カメラボディ１００ａ側のマウント部１００ｂに一端が支持されて光軸方向前方に延びるとともに前方に延びた先端部がＵ字状に折り曲げられることにより折曲部１１７ａが形成された支持部材１１７を配設する。その支持部材１１７に沿って前方に延び、支持部材１１７の折曲部１１７ａ内側に挟まれるようにして配設される帯状のフレキシブル１１６の他端をモータ１１５に接続する。【選択図】    図２
2004163748.tif 000002
【特許請求の範囲】
【請求項１】
カメラ本体と、フォーカスレンズを含む撮影レンズを内蔵し該カメラ本体に対し光軸方向に移動するレンズ鏡胴とを備え、該撮影レンズを経由してきた被写体光を捉えることにより撮影を行なうカメラにおいて、
前記レンズ鏡胴に固定された、前記フォーカスレンズを光軸方向に移動させるフォーカスモータと、
前記カメラ本体に配備された、前記フォーカスモータを駆動する駆動部と、
前記カメラ本体に一端が支持されて光軸方向前方に延びるとともに前方に延びた先端部がＵ字状に折り曲げられることにより折曲部を形成してなる支持部材と、
前記駆動部に一端が接続されて前記支持部材に沿って前方に延び、前記折曲部内側に挟まれるようにして一旦折り返されるとともに、再度折り返されて前記フォーカスモータに他端が接続されてなる帯状部分を有するフレキシブル基板とを備え、
前記折曲部は、折り曲げられた先端に孔が設けられたものであり、
前記フレキシブル基板は、該折曲部に挟まれて折り返された部分に前記孔に挿入された切片を有するものであることを特徴とするカメラ。
【請求項２】
カメラ本体と、フォーカスレンズを含む撮影レンズを内蔵し該カメラ本体に対し光軸方向に移動するレンズ鏡胴とを備え、該撮影レンズを経由してきた被写体光を捉えることにより撮影を行なうカメラにおいて、
前記レンズ鏡胴に固定された、前記フォーカスレンズを光軸方向に移動させるフォーカスモータと、
前記カメラ本体に配備された、前記フォーカスモータを駆動する駆動部と、
前記カメラ本体に一端が支持されて光軸方向前方に延びるとともに前方に延びた先端部がＵ字状に折り曲げられることにより折曲部を形成してなる支持部材と、
前記駆動部に一端が接続されて前記支持部材に沿って前方に延び、前記折曲部内側に挟まれるようにして一旦折り返されるとともに、再度折り返されて前記フォーカスモータに他端が接続されてなる帯状部分を有するフレキシブル基板とを備え、
前記折曲部は、折り曲げられた先端が折り曲げられた内側に向かって突出した突起を有し、
前記フレキシブル基板は、前記折曲部に挟まれて折り返された部分に前記突起が挿入された孔を有するものであることを特徴とするカメラ。
【請求項３】
前記フレキシブル基板は、前記折曲部に挟まれて折り返された部分の幅が、該折り返された部分よりも前後の部分の幅よりも狭幅に形成されたものであることを特徴とする請求項１又は２記載のカメラ。
【発明の詳細な説明】
【０００１】
【発明の属する技術分野】
本発明は、カメラ本体と、フォーカスレンズを含む撮影レンズを内蔵し該カメラ本体に対し光軸方向に移動するレンズ鏡胴とを備え、その撮影レンズを経由してきた被写体光を捉えることにより撮影を行なうカメラに関する。
【０００２】
【従来の技術】
カメラ本体に対して光軸方向に進退することが自在なレンズ鏡胴を有するカメラにあっては、そのレンズ鏡胴内に配設されたモータなどに信号を供給するためにフレキシブル基板が用いられることがある。このフレキシブル基板はカメラ本体側の制御部からの信号をレンズ鏡胴が動いても伝えることができるような柔軟性を持った部材である。したがってレンズ鏡胴が動いてもその柔軟性によって制御部とレンズ鏡胴に配設されたモータとの間の電気接続が確実に保たれる。
【０００３】
しかしレンズ鏡胴にはカム筒、駆動筒といった部材が多数設けられており、それらの部材に干渉しないようにフレキシブル基板を配設することはなかなか難しい。そこでこのフレキシブル基板をうまくレンズ鏡胴内に実装するための提案が数多く報告されている。
【０００４】
たとえば、レンズ鏡胴内の空きスペースをうまく利用してそのスペース周辺にガイドを設けて、レンズ鏡胴が前後に動いたとしてもそのガイドによってフレキシブル基板をガイドしてスペース内にうまく収容するようにしたものがある（たとえば特許文献１、特許文献２参照）。
【０００５】
また支持部材を設けてその支持部材にフレキシブル基板を這わせて空きスペース部にうまく撓みを配設するようにした例も紹介されている（たとえば特許文献３参照）。
【０００６】
【特許文献１】
特開平５−２７３１１号公報
【特許文献２】
特開平２０００−２８８９７号公報
【特許文献３】
特開平７−１９１２５１号公報
【０００７】
【発明が解決しようとする課題】
いずれの特許文献においてもレンズ鏡胴が前後したとしてもフレキシブル基板がレンズ鏡胴内のスペースにうまく配設されるような効果的な手段が講じられてはいるが、フレキシブル基板がレンズ鏡胴の移動中に左右にずれた場合の対応策についてはなんら触れられていない。もしその対応策を考えると、特許文献１〜２のものではレンズ鏡胴内にスペースを形成する部材側に設けられたガイドの幅をフレキシブル基板の幅よりも大きくしなければならず、また特許文献３のものではフレキシブル基板を支持する支持部材の幅をフレキシブル基板の幅よりも大きくしなければならない。しかしこのようなことを行なうとレンズ鏡胴の大型化を招き、ひいてはカメラ全体の大型化を招く。
【０００８】
本発明は、上記事情に鑑み、簡単な構成でフレキシブル基板をレンズ鏡胴内に配設することができる小型のカメラを提供することを目的とする。
【０００９】
【課題を解決するための手段】
上記目的を達成する本発明のカメラの１つは、カメラ本体と、フォーカスレンズを含む撮影レンズを内蔵しそのカメラ本体に対し光軸方向に移動するレンズ鏡胴とを備え、該撮影レンズを経由してきた被写体光を捉えることにより撮影を行なうカメラにおいて、
上記レンズ鏡胴に固定された、上記フォーカスレンズを光軸方向に移動させるフォーカスモータと、
上記カメラ本体に配備された、上記フォーカスモータを駆動する駆動部と、
上記カメラ本体に一端が支持されて光軸方向前方に延びるとともに前方に延びた先端部がＵ字状に折り曲げられることにより折曲部を形成してなる支持部材と、
上記駆動部に一端が接続されて上記支持部材に沿って前方に延び、上記折曲部内側に挟まれるようにして一端が折り返されるとともに、再度折り返されて上記フォーカスモータに他端が接続されてなる帯状部分を有するフレキシブル基板とを備え、
上記折曲部は、折り曲げられた先端に孔が設けられたものであり、
上記フレキシブル基板は、その折曲部に挟まれて折り返された部分に上記孔に挿入された切片を有するものであることを特徴とする。
【００１０】
上記本発明のカメラによれば、上記折曲部の先端の孔に、上記フレキシブル基板の切片が挿入されることにより、折曲部の先端でフレキシブル基板が位置決めされてフレキシブル基板がレンズ鏡胴の移動中に左右に動いたとしても、その折曲部の先端からフレキシブル基板がはみ出すといったことがなくなる。この折曲部の先端周辺に、たとえばレンズ保持枠を配設するとレンズ保持枠とその折曲部との間にさほど大きな空間を持たせる必要がなくなり、レンズ保持枠とともにその支持部材の折曲部をレンズ鏡胴内に高密度に実装することができる。したがって、支持部材の折曲部近傍に配設される部材をその支持部材に近接させて配設することが可能となり、レンズ鏡胴並びにカメラ全体の小型化を図ることができる。
【００１１】
また上記本発明のカメラの構成要素である上記折曲部と上記フレキシブル基板の構成には、上記態様とは異なる態様が考えられる。その異なる態様としては、カメラ本体と、フォーカスレンズを含む撮影レンズを内蔵し該カメラ本体に対し光軸方向に移動するレンズ鏡胴とを備え、該撮影レンズを経由してきた被写体光を捉えることにより撮影を行なうカメラにおいて、
上記レンズ鏡胴に固定された、上記フォーカスレンズを光軸方向に移動させるフォーカスモータと、
上記カメラ本体に配備された、上記フォーカスモータを駆動する駆動部と、上記カメラ本体に一端が支持されて光軸方向前方に延びるとともに前方に延びた先端部がＵ字状に折り曲げられることにより折曲部を形成してなる支持部材と、
上記駆動部に一端が接続されて上記支持部材に沿って前方に延び、上記折曲部内側に挟まれるようにして一端が折り返されるとともに、再度折り返されて上記フォーカスモータに他端が接続されてなる帯状部分を有するフレキシブル基板とを備え、
上記折曲部は、折り曲げられた先端が折り曲げられた内側に向かって突出した突起を有し、
上記フレキシブル基板は、上記折曲部に挟まれて折り返された部分に上記突起が挿入された孔を有するものが挙げられる。
【００１２】
このようにすると、上記折曲部の突起が上記フレキシブル基板の孔に挿入されることで上記フレキシブル基板が位置決めされ、前者と同様の効果が得られる。この結果レンズ鏡胴の小型化並びにカメラ全体の小型化を図ることができる。
【００１３】
このように折曲部の先端でフレキシブル基板が位置決めされてフレキシブル基板の位置が左右にずれたとしてもその折曲部近傍では前者では孔と切片によって後者では突起と孔とによってフレキシブル基板が位置決めされて左右のずれが防止される。とはいってもフレキシブル基板の長さが長くなってくると、フレキシブル基板の、上記折曲部から離れた部分が、上記折曲部によって挟まれた部分を回動中心にして左右にずれないとも限らない。
【００１４】
そこで、上記フレキシブル基板は、上記折曲部に挟まれて折り返された部分の幅が、該折り返された部分よりも前後の部分の幅よりも狭幅に形成されたものであるとより一層望ましい態様になる。
【００１５】
つまり、上記フレキシブル基板が、フレキシブル基板の、上記折曲部によって挟まれた部分を回動中心にして左右にずれると、上記折り返された部分の左右の角のいずれか一方が、支持部材からはみ出し、周囲の部材と干渉する恐れがあるがこのような態様にすることで上記折り返された部分の左右の角が支持部材からはみ出すとことがより一層防止される。またそのフレキシブル基板が狭幅に形成された部分の長さを長くすればするほど、その支持部材の折曲部からフレキシブル基板がはみ出すといったことが防止される区間が長くなる。そうすると上記支持部材の折曲部からフレキシブル基板がはみ出すことがさらに防止され、その支持部材の折曲部近傍に配設される部材を、より一層折曲部に近づけて配設することができるようになり、レンズ鏡胴並びにカメラ全体のさらなる小型化を図ることができる。
【００１６】
【発明の実施の形態】
以下、本発明の実施形態について説明する。
【００１７】
図１は本発明の実施形態をカメラの外観を示す図である。
【００１８】
図１（ａ）にはこのカメラ１００のレンズ鏡胴がカメラボディ１００ａに収納された状態が示されている。図１（ａ）ではレンズ鏡胴が沈胴され、カメラボディ１００ａ内に収納されて、その収納されたレンズ鏡胴に内蔵された撮影光学系に光が侵入しないようにカバー１０１がかけられた状態が示されている。
【００１９】
カメラボディ１００ａの上部にはレリーズ釦１０２と電源スイッチ１０３とが配備されており、図１（ａ）では電源スイッチ１０３がオフ側に倒されている。またフレーミングを行なうためのファインダ１０４がカメラボディ１００ａの正面上方に設けられており、そのファインダ１０４の横には閃光発光窓１０５が設けられている。
【００２０】
図１（ａ）に示した電源スイッチ１０２がオフ側からオン側に切り替えられると、図１（ｂ）に示すようにレンズ鏡胴１１０が繰出される。
【００２１】
このレンズ鏡胴内には撮影光学系が内蔵されており、レンズ鏡胴の動きにあわせて内部の撮影レンズが撮影に応じた位置に配置される。
【００２２】
図２はレンズ鏡胴内の構成を示す断面図である。図２（ａ）はレンズ鏡胴が沈胴された状態を示す図であり、また図２（ｂ）はレンズ鏡胴が繰出された状態を示す図である。
【００２３】
図２（ａ）を参照して主な構成を説明する。
【００２４】
図２（ａ）に示すようにカメラボディ１００ａ側のマウント部１００ｂに固定筒１１１がねじ１００ｃによって固定されている。この固定筒１１１には直進溝１１１ａが設けられており、その溝１１１ａにはレンズ保持枠１１２のカムピン１１２ａが係合している。またその固定筒１１１の外周部にその内周部が接するようにしてカム筒１１３が配設されている。このカム筒１１３には直進溝１１１ａに斜めに交叉するようなカム溝１１３ａが設けられており、カム筒１１３が回転するとレンズ保持枠１１２が有するカムピン１１２ａが直進溝１１１ａに案内されてカムピン１１２ａとともにレンズ保持枠１１２が光軸に対して前後に移動するようになっている。
【００２５】
一方レンズ保持枠１１２には撮影レンズ１１２ｂが保持されており、カム筒１１３が回転するとレンズ保持枠１１２とともにこの撮影レンズ１１２ｂも光軸方向に前後に移動する。この実施形態のカメラでは、フォーカスに最も大きく寄与するフォーカスレンズ１１４ａがカム筒１１３の回転によって動く構成にはなっておらず、レンズ保持枠１１２の先端部に配設されているフォーカスレンズ駆動用のモータ１１５によって動かされるようになっている。そのモータ１１５にはリードスクリュー１１５ａが連結されており、このリードスクリュー１１５ａの歯がフォーカスレンズ１１４ａを保持するレンズ保持枠１１４のラック部材１１４ｂに噛合している。したがってモータ１１５が回転してリードスクリュー１１５ａが回転することによって光軸方向に対してフォーカスレンズ１１４が前後に動く。このモータ１１５をレンズ鏡胴１１０の繰出あるいは沈胴動作にしたがって回転させるため、図示しない制御部に一端が接続されたフレキシブル基板１１６がこのモータ１１５の接続端子１１５ｂに接続されている。このフレキシブル基板１１６を介して制御部からモータ１１５に信号が供給されるとモータ１１５が回転するようになっている。このフレキシブル基板１１６をカメラボディ１００ａ側のマウント部１００ｂを通して配設することができるようにマウント部１００ｂには貫通孔１００ｄが設けられている。またこの貫通孔１００ｄの付近にはそのフレキシブル基板１１６を支持するための支持部材１１７がマウント側から光軸方向前方に向かって配設されている。
【００２６】
この支持部材１１７はカメラボディ１００ａ側のマウント部１００ｂに一端がねじによって固定されている。支持部材１１７は、この一端から光軸方向前方に延び、前方に延びた先端部がＵ字状に折り曲げられることにより支持部材１１７には折曲部１１７ａが形成されている。この支持部材１１７に這わせるようにしてフレキシブル基板１１６が配設されている。このフレキシブル基板１１６はその一端がカメラボディ１００ａ側の制御部の端子に接続されてその支持部材１１７に沿って前方に延び、支持部材１１７の折曲部１１７ａ内側に挟まれるようにして一旦折り返されるとともに、再度折り返されてモータ１１５に他端が接続されている。レンズ保持枠１１２側には、そのフレキシブル基板１１６をレンズ保持枠１１２の先端部にあるモータ１１５まで到達させるための空間部１１２ｃが設けられている。
【００２７】
図２（ａ）に示した沈胴状態にあっては、そのレンズ保持枠１１２の空間部１１２ｃにフレキシブル基板１１６とともに支持部材１１７の終端部１１７ａが挿入された状態が示されている。図２（ａ）に示すように沈胴されたときにはフレキシブル基板１１７に撓みを持たせて、レンズ保持枠１１２とその空間部１１２ｃおよびカメラボディ１００ａ側のマウント部１００ｂとの間の空間部にうまくフレキシブル基板が置かれている。
【００２８】
この沈胴状態からレンズ鏡胴１１０が繰出されたときには、図２（ｂ）に示すようにフレキシブル基板１１６がレンズ鏡胴１１０内のレンズ保持枠１１２とカメラボディ１００ａ側のマウント１００ｂ部との間の空間部に支持部材１１７によって撓みなく支持された状態で置かれる。
【００２９】
前述したように支持部材１１７はカメラボディ１００ａ側のマウント部１００ｂに一端が支持されて光軸方向前方に延びているのでレンズ保持枠１１２の空間部１１２ｃをその支持部材１１７に対向する位置に設けておけば、支持部材１１７がガイドとなってうまくレンズ保持枠１１２の空間部１１２ｃに、フレキシブル基板１１６を挿入することができる。
【００３０】
以上のような構成でフレキシブル基板１１６がレンズ鏡胴１１０内に配設されている。
【００３１】
ここで支持部材の折曲部にフレキシブル基板１１６がどのように配設されているかを、図３を参照して説明する。
【００３２】
図３は支持部材１１７の折曲部１１７ａとその折曲部１１７ａに挟み込まれるフレキシブル基板１１６の構成を示す図である。図３（ａ）は支持部材１１７の折曲部１１７ａの構成を示す図、また図３（ｂ）はその折曲部１１７ａの構成を示す断面図、また図３（ｃ）はその折曲部１１７ａに挟み込まれる部分のフレキシブル基板１１６の構成を示す図である。
【００３３】
図３（ａ）に示すように支持部材１１７の折曲部１１７ａの頂点部に支持部材１１７が折り曲げられた方向に向けて突起１１７ｃが設けられている。図３（ｃ）にはそのフレキシブル基板１１６の構成を示してあり、フレキシブル基板１１６が折り返される部分の折曲線の部分の中央に、支持部材１１７の突起１１７ｃに嵌め込まれる孔１１６ａが設けられている。この支持部材１１７の突起１１７ｃが図３（ｂ）に示すようにフレキシブル基板１１６の孔１１６ａに嵌め込まれてフレキシブル基板１１６が配設されている。
【００３４】
したがって図３（ｃ）に示す折曲線に沿って折り返されたフレキシブル基板１１６を、支持部材１１７の折曲部１１７ａの内側のスペースに挿入していき、フレキシブル基板１１６の孔１１６ａを支持部材１１７の突起１１７ｃにあわせて配設すると、フレキシブル基板１１６が要領よく位置決めされて支持部材１１７の折曲部１１７ａの内側に配設され、フレキシブル基板１１６の左右のずれが抑制される。さらにフレキシブル基板を挟み込むＵ字状の折曲部１１７ａ部分に適度な挟持力を持たせれば、フレキシブル基板１１６の左右のずれがさらに抑制される。
【００３５】
このようにして支持部材に配設されたフレキシブル基板が支持部材とともにレンズ鏡胴内に組み込まれた状態が図２には示されている。
【００３６】
したがって、レンズ鏡胴が光軸方向に対して前後に動いても、フレキシブル基板１１６が折曲部近傍で左右にずれるといったことがなくなる。
【００３７】
図４は支持部材の折曲部とその折曲部に挟み込まれるフレキシブル基板の別の構成を示す図である。
【００３８】
図４に示す支持部材１１７は、その折曲部１１７ａに孔１１７ｄが設けられたものであり、ここではその折曲部１１７ａに挟まれて折り返されて帯状に形成されてなるフレキシブル基板１１６の側に、その孔１１７ｄに挿入される切片１１６ｂが設けられている。図４に示す例では、その切片１１６ｂが折曲部１１７ａの先端の孔１１７ｄに嵌め込まれてフレキシブル基板１１６が位置決めされてフレキシブル基板１１６の左右のずれが抑制される。図３と同様に左右にずれないようにＵ字状の折曲部１１７ａに適度な挟持力を持たせれば、フレキシブル基板１１６の左右のずれがさらに抑制される。
【００３９】
また、万が一、レンズ鏡胴の移動中にフレキシブル基板１１６に過度の張力が加わるといった事態が発生しても、支持部材１１７の折曲部１１７ａにフレキシブル基板１１６が挟み込まれているだけなのでフレキシブル基板１１６がその折曲部１１７ａから離脱することによってフレキシブル基板１１６への損傷を免れるといった効果もある。
【００４０】
図３、図４の構成でフレキシブル基板が位置決めされてフレキシブル基板１１６の左右の位置ずれに対しても充分に対応することができるが、さらにフレキシブル基板が折り返されて帯状に形成されてなる部分を、その部分の前後の部分よりも狭幅にしておくと、さらに顕著な効果が得られる。
【００４１】
図５は、フレキシブル基板１１６が折り返されてなる帯状の部分をその部分の前後よりも狭幅に形成した例を示す図である。図５（ａ）は支持部材１１７の折曲部内側に折り返されて帯状に形成されてなるフレキシブル基板１１６の構成を示す図、図５（ｂ）はその効果を説明するための図である。
【００４２】
図５（ａ）に示すようにフレキシブル基板１１６の折り返されて帯状部分の形成される部分１１６ｃが図５（ｃ）のように狭幅に加工されている。このように加工されたフレキシブル基板１１６が折曲線に沿って折り曲げられて支持部材１１７の折曲部１１７ａに挟み込まれ、フレキシブル基板ともどもその支持部材がレンズ鏡胴に配設される。ここで、フレキシブル基板の狭幅の部分１１６ｃが折曲部１１７に挟まれているので、フレキシブル基板１１６の、折曲部１１７ａによって挟まれた部分を回動中心にしてフレキシブル基板が左右にずれるといった事態が起きても、フレキシブル基板の折り返された部分の左右の角のいずれか一方がその折曲部１１７ａからはみ出すといったことが防止される。そうすると図５（ｂ）に示すように、レンズ鏡胴が沈胴したときに、フレキシブル基板１１６が左右に振られて動いたとしてもレンズ保持枠１１２の空間部１１２ｃの端部にフレキシブル基板１１６が接触し難くなる。したがって空間部１１２ｃの大きさを小さくすることができ、その空間部の大きさを小さくすることによってレンズ保持枠の小型化を図ることができる。さらにレンズ鏡胴を小型にすることができるので、カメラボディ全体の小型も図ることができる。
【００４３】
以上説明したように本発明のカメラによれば、支持部材の折曲部とフレキシブル基板双方に設けられた位置決め機構によって、フレキシブル基板の左右のずれを防止することができ、支持部材の折曲部とレンズ保持枠とを近づけてレンズ鏡胴内に配設することができるため、レンズ鏡胴の小型化を図ることができる。またレンズ鏡胴の小型化によってカメラ全体の小型化をも図ることができる。
【００４４】
【発明の効果】
以上、説明したように、本発明のカメラによれば、簡単な構成でフレキシブル基板をレンズ鏡胴内にコンパクトに配設することができる小型のカメラを提供することができる。
【図面の簡単な説明】
【図１】本発明の実施形態を示すカメラの外観を示す図である。
【図２】図１のカメラのレンズ鏡胴が沈胴したときと、繰出されたときの状態を示す断面図である。
【図３】支持部材の折曲部の構成と、その折曲部の内側に配設されるフレキシブル基板の構成を示す図である。
【図４】支持部材の折曲部の構成と、その折曲部の内側に配設されるフレキシブル基板の構成の別の例を示す図である。
【図５】フレキシブル基板の一部が他の部分よりも狭幅に形成された場合のフレキシブル基板の構成を示す図である。
【符号の説明】
１００    カメラ
１００ａ    カメラボディ
１１０    レンズ鏡胴
１１１    固定筒
１１２    レンズ保持枠
１１２ａ    カムピン
１１２ｂ    レンズ
１１２ｃ    空間部
１１３    カム筒
１１４    フォーカスレンズのレンズ保持枠
１１４ａ    フォーカスレンズ
１１５    モータ
１１６    フレキシブル基板
１１６ａ    孔部
１１６ｂ    切片
１１６ｃ    狭幅部
１１７    支持部材
１１７ａ    支持部材の折曲部
１１７ｂ    支持部材の終端部
１１７ｃ    突起
１１７ｄ    孔
【図１】
2004163748.tif 000003
【図２】
2004163748.tif 000004
【図３】
2004163748.tif 000005
【図４】
2004163748.tif 000006
【図５】
2004163748.tif 000007